(57)【要約】【課題】処理条件の設定が容易であり、希望する画像形成物を獲得できる画像形成システム及び画像形成装置の提供を目的とする。【解決手段】表示装置に画像情報を入力する。表示装置は、入力された画像情報を処理して表示部に画像を表示する。表示した画像に使用した処理条件を示すエンコード情報を表示部に表示する。エンコード情報を受け付け、画像形成対象である画像情報が入力された画像形成装置は、受け付けたエンコード情報が示す処理条件を用い、入力された画像情報に対して画像形成処理を実行する。【選択図】図６
2014041432.tif 000002
【特許請求の範囲】
【請求項１】
画像情報を入力する入力部と、該入力部に入力された画像情報を処理する処理部と、該処理部で処理された画像情報に基づいて画像を形成する画像形成部とを有する画像形成装置、及び、画像情報を入力する入力部と、該入力部に入力された画像情報を処理する処理部と、該処理部で処理された画像情報を使用して画像を表示する表示部とを有する表示装置を備える画像形成システムにおいて、
前記表示装置は、該画像形成装置の入力部に入力される画像情報が前記表示装置の入力部に入力された場合に前記表示部が表示する画像に使用した画像処理情報を出力する出力部を備え、
前記画像形成装置は、前記出力部が出力した画像処理情報を受け付ける受付部を備え、
前記画像形成装置の処理部は、前記受付部が受け付けた画像処理情報に基づいて、前記画像形成装置の入力部に入力された画像情報を処理するようにしてある
ことを特徴とする画像形成システム。
【請求項２】
前記表示装置は、該表示装置の処理部の処理条件を設定する設定部を備え、
前記画像形成部は、前記設定部が設定した処理条件を用いて処理された画像情報が示す画像を用紙に印刷するようにしてある
ことを特徴とする請求項１に記載の画像形成システム。
【請求項３】
前記画像形成装置は、該画像形成装置の処理部が使用可能な複数の処理条件を記憶する記憶部を備え、
前記表示装置は、該記憶部が記憶する複数の処理条件のいずれかを特定する情報を受け付ける条件情報受付部を備え、
前記設定部は、該条件情報受付部が受け付けた情報により特定される処理条件を、前記表示装置の処理部が用いる処理条件として設定するようにしてある
ことを特徴とする請求項２に記載の画像形成システム。
【請求項４】
前記画像形成装置を複数備え、
前記表示装置は、該複数の画像形成装置のいずれかを特定する情報を受け付ける装置情報受付部を備え、
前記設定部は、該装置情報受付部が受け付けた情報により特定される画像形成装置の記憶部が記憶する処理条件を前記表示装置の処理部が用いる処理条件として設定するようにしてある
ことを特徴とする請求項３に記載の画像形成システム。
【請求項５】
画像情報を入力する入力部と、該入力部に入力された画像情報を処理する処理部と、該処理部で処理された画像情報に基づいて画像を形成する画像形成部とを有する画像形成装置において、
前記入力部に入力された画像情報に対して前記画像形成部が画像を形成する際に使用する画像処理情報を外部より受け付ける受付部を備え、
前記処理部は、前記受付部が受け付けた画像処理情報に基づいて前記入力部に入力された画像情報を処理するようにしてある
ことを特徴とする画像形成装置。
【発明の詳細な説明】
【技術分野】
【０００１】
本発明は、処理条件の設定が容易であり、所望する画像形成物を獲得できる画像形成システム及び画像形成装置に関する。
【背景技術】
【０００２】
コンビニエンスストア、市役所、図書館等の多くのユーザが利用できる場所に、画像形成装置が設置されている。設置された画像形成装置に対して、複数のユーザが利用を求めて並んでいる場合、他のユーザを配慮し、早期に自身の画像処理装置利用を終了することが望まれる。
【０００３】
画像形成装置は、ユーザの多様な要望にこたえるために機能が豊富であり、画像の縮小・拡大だけでなく、画像の明暗、印刷用紙の選択、片面／両面印刷など、さまざまな処理条件が設定できる。一方、豊富な機能を実現するために複数の操作が存在することにより、所望の処理条件への設定に時間を要する場合がある。また、設定した処理条件を用いたのだが、求めていたものとは異なる画像形成物を得ることになる場合も存在する。
【０００４】
特許文献１は、ユーザの処理条件設定を容易にするシステムを提案している。
【先行技術文献】
【特許文献】
【０００５】
【特許文献１】特開２０１０−１０９６４９号公報
【発明の概要】
【発明が解決しようとする課題】
【０００６】
しかしながら、処理条件の設定を容易としながら希望の画像形成物を獲得するための従来の試みは、ユーザを十分に満足させていると言い難い。
【０００７】
本発明は斯かる事情に鑑みてなされたものであって、設置された画像形成装置を用いて画像形成を行う場合であっても、処理条件の設定が容易であり、希望する画像形成物を獲得できる画像形成システム及び画像形成装置を提供することを目的とする。
【課題を解決するための手段】
【０００８】
本発明に係る画像形成システムは、画像情報を入力する入力部と、該入力部に入力された画像情報を処理する処理部と、該処理部で処理された画像情報に基づいて画像を形成する画像形成部とを有する画像形成装置、及び、画像情報を入力する入力部と、該入力部に入力された画像情報を処理する処理部と、該処理部で処理された画像情報を使用して画像を表示する表示部とを有する表示装置を備える画像形成システムにおいて、前記表示装置は、該画像形成装置の入力部に入力される画像情報が前記表示装置の入力部に入力された場合に前記表示部が表示する画像に使用した画像処理情報を出力する出力部を備え、前記画像形成装置は、前記出力部が出力した画像処理情報を受け付ける受付部を備え、前記画像形成装置の処理部は、前記受付部が受け付けた画像処理情報に基づいて、前記画像形成装置の入力部に入力された画像情報を処理するようにしてあることを特徴とする。
【０００９】
上述の画像形成システムでは、表示装置に入力された画像情報に基づいて処理した画像が表示装置の表示部に表示される。表示部に表示された画像がユーザの所望に沿うものである場合、画像形成装置は、表示装置が処理に用いた画像処理情報を用いて、画像形成装置に入力された画像情報の画像形成処理を行う。
【００１０】
また、本発明に係る画像形成システムは、前記表示装置が、該表示装置の処理部の処理条件を設定する設定部を備え、前記画像形成部は、前記設定部が設定した処理条件を用いて処理された画像情報が示す画像を用紙に印刷するようにしてあることを特徴とする。
【００１１】
上述の画像形成システムでは、表示装置の設定部に設定された処理条件を用いて表示装置が画像処理を行う。画像形成装置は、表示装置が用いた処理条件と同様の処理条件を用いて画像の印刷処理を行う。
【００１２】
また、本発明に係る画像形成システムは、前記画像形成装置が、該画像形成装置の処理部が使用可能な複数の処理条件を記憶する記憶部を備え、前記表示装置は、該記憶部が記憶する複数の処理条件のいずれかを特定する情報を受け付ける条件情報受付部を備え、前記設定部は、該条件情報受付部が受け付けた情報により特定される処理条件を、前記表示装置の処理部が用いる処理条件として設定するようにしてあることを特徴とする。
【００１３】
上述の画像形成システムでは、画像形成装置が使用し得る処理条件から所望の処理条件を表示装置が選択し、選択した処理条件を用いて表示装置が処理した画像を表示部に表示する。
【００１４】
また、本発明に係る画像形成システムは、前記画像形成装置を複数備え、前記表示装置は、該複数の画像形成装置のいずれかを特定する情報を受け付ける装置情報受付部を備え、前記設定部は、該装置情報受付部が受け付けた情報により特定される画像形成装置の記憶部が記憶する処理条件を前記表示装置の処理部が用いる処理条件として設定するようにしてあることを特徴とする。
【００１５】
上述の画像形成システムでは、複数ある画像形成装置から対象となる画像形成装置を選択する。選択した画像形成装置が使用する処理条件を用いて表示装置が画像処理を行い、表示部に画像を表示する。
【００１６】
本発明に係る画像形成装置は、画像情報を入力する入力部と、該入力部に入力された画像情報を処理する処理部と、該処理部で処理された画像情報に基づいて画像を形成する画像形成部とを有する画像形成装置において、前記入力部に入力された画像情報に対して前記画像形成部が画像を形成する際に使用する画像処理情報を外部より受け付ける受付部を備え、前記処理部は、前記受付部が受け付けた画像処理情報に基づいて前記入力部に入力された画像情報を処理するようにしてあることを特徴とする。
【００１７】
上述の画像形成装置では、入力された画像情報に対して画像形成装置が使用すべき処理を表す画像処理情報を受付部が外部より受け付ける。画像形成装置は、受付部が受け付けた画像処理情報を用い、入力部に入力された画像情報に対する画像形成処理を実行する。
【発明の効果】
【００１８】
本発明にあっては、画像形成装置に入力される画像情報が外部の表示装置で処理（シミュレート）され、処理後の画像が表示装置に表示される。シミュレート結果がユーザの所望に合致する場合、シミュレートで用いた画像処理を示す情報が画像処理装置に与えられる。画像形成装置は、与えられた画像処理を示す情報を用いて、自身に入力された画像情報に対する画像形成処理を実行する。したがって、多くのユーザが利用できる場所に設置された画像形成装置を用いて画像形成を行う場合であっても、処理条件の設定を短時間で容易に完了することができるとともに、ユーザの所望に沿った画像形成物の獲得が期待できる。
【図面の簡単な説明】
【００１９】
【図１】本発明に係る画像形成システムの一例を示す模式図である。
【図２】デジタル複合機の一構成例を示したブロック図である。
【図３】パーソナルコンピュータの一構成例を示したブロック図である。
【図４】サーバの一構成例を示したブロック図である。
【図５】パーソナルコンピュータが行う処理手順を示すフローチャートである。
【図６】デジタル複合機が行う処理手順を示すフローチャートである。
【図７】サーバが行う処理手順を示すフローチャートである。
【図８】本発明に係る画像形成システムの一例を示す模式図である。
【図９】パーソナルコンピュータの一構成例を示したブロック図である。
【図１０】パーソナルコンピュータが行う処理手順を示すフローチャートである。
【発明を実施するための形態】
【００２０】
以下、本発明の一例について、その実施の形態を示す図面に基づいて具体的に説明する。
【００２１】
（実施の形態１）
図１は、本発明に係る画像形成システムの一例を示す模式図である。コピー機能、印刷機能、ファクシミリ機能等を有しており、画像形成処理を行う複数のデジタル複合機１と、画像処理機能等を有しており、処理後の画像を表示するパーソナルコンピュータ２と、デジタル複合機１に関する情報を記憶する機能等を有しており、システムを管理するサーバ３とを含んでいる。各デジタル複合機１は、所定のコンビニエンスストアに設置してあり、パーソナルコンピュータ２はユーザ宅に設置してあり、サーバ３はシステム管理会社に設置してある。
【００２２】
図２は、デジタル複合機１の一構成例を示したブロック図である。デジタル複合機１は操作部１０、入力部１１、制御部１２、記憶部１３、処理部１４及び印刷部１５を備える。
【００２３】
操作部１０は、印刷ジョブを実行するための印刷キー、ファックシミリジョブを実行するためのファックスキー、スタートキー、テンキー、電源キー等が設けてあり、ユーザの操作を受け付ける。
【００２４】
入力部１１は、原稿を読み取ってデジタル複合機１で処理すべき画像情報を入力するスキャナ、ＵＳＢメモリなどの記録媒体に記録された記録情報を読み取ってデジタル複合機１で処理すべき画像情報を入力する接続ポート等で構成してある。
【００２５】
制御部１２は、ＣＰＵ等を備えたマイクロコンピュータからなり、操作部１０により受け付けたユーザの操作に基づいてデジタル複合機１の各部を制御する。
【００２６】
記憶部１３は、ハードディスクドライブ（ＨＤＤ）、メモリ（Random Access Memory：ＲＡＭ）などで構成してあり、デジタル複合機１が画像処理に使用できる処理条件が記憶してある。
【００２７】
処理部１４は、ＣＰＵ等からなり、入力部１１から入力された画像情報に対してさまざまな処理を行う。例えば、画像を縮小・拡大する操作を操作部１０から受け付けた場合には、入力された画像情報に対して画像の縮小・拡大処理を行う。画像の明暗を変更する操作を操作部１０から受け付けた場合には、入力された画像情報に対して画像の明暗変更処理を行う。印刷用紙を選択する操作を操作部１０から受け付けた場合には、選択された用紙に対応するように入力された画像情報を処理する。片面／両面印刷を行う操作を操作部１０から受け付けた場合には、片面／両面に印刷されるように入力された画像情報を処理する。
【００２８】
印刷部１５は、プリンタであり、処理部１４が処理した画像情報に基づいて用紙に画像を印刷して形成する。
【００２９】
図３は、パーソナルコンピュータ２の一構成例を示したブロック図である。パーソナルコンピュータ２は操作部２０、入力部２１、制御部２２、記憶部２３、設定部２４、処理部２５、表示部２６及び通信部２７を備える。
【００３０】
操作部２０は、テンキー等が設けてあるキーボード及びマウスで構成してあり、ユーザの操作を受け付ける。
【００３１】
入力部２１は、原稿を読み取ってパーソナルコンピュータ２で処理すべき画像情報を入力するスキャナ、ＵＳＢメモリなどの記録媒体にある記録情報を読み取ってパーソナルコンピュータ２で処理すべき画像情報を入力するための接続ポート等で構成してある。
【００３２】
制御部２２は、ＣＰＵ等を備えたマイクロコンピュータからなり、操作部２０により受け付けたユーザの操作に基づいてパーソナルコンピュータ２の各部を制御する。
【００３３】
記憶部２３は、ハードディスクドライブ（ＨＤＤ）、メモリ（Random Access Memory：ＲＡＭ）などで構成してあり、制御部２２が制御に用いるプログラムが記憶してある。
【００３４】
設定部２４は、ＣＰＵ等からなり、操作部２０が受け付けた操作に基づいて、入力部２１から入力された画像情報に対して使用する処理条件を設定する。例えば、画像の縮小・拡大、画像の明暗、印刷用紙の選択、片面／両面印刷などの処理条件を設定する。
【００３５】
処理部２５は、ＣＰＵ等からなり、設定部２４が設定した処理条件の下で、入力部２１から入力された画像情報に対して画像処理を行う。
【００３６】
表示部２６は、液晶パネルで構成してあり、処理部２５が処理して得られた画像を表示する。プラズマディスプレイパネル、有機ＥＬパネルなどを用いて構成してもよい。
【００３７】
通信部２７は、イーサネット（登録商標）接続ポートで構成してあり、外部の装置と通信する。
【００３８】
図４は、サーバ３の一構成例を示したブロック図である。サーバ３は制御部３０、通信部３１、記憶部３２、及び処理部３３を備える。
【００３９】
制御部３０は、ＣＰＵ等を備えたマイクロコンピュータからなり、サーバ３の各部を制御する。
【００４０】
通信部３１は、イーサネット接続ポートで構成してあり、外部の装置と通信する。
【００４１】
記憶部３２は、ハードディスクドライブ（ＨＤＤ）、メモリ（Random Access Memory：ＲＡＭ）などで構成してあり、制御部３０が制御に用いるプログラムが記憶してある。また、デジタル複合機１が設置してあるコンビニエンスストアの名称・住所等のコンビニエンスストア情報、及び各デジタル複合機１が使用可能な処理条件を示すデジタル複合機情報が関連付けて記憶してある。
【００４２】
処理部３３は、ＣＰＵ等からなり、通信部３１を介して受信した外部の装置の要求に応じた処理を行う。処理結果は、通信部３１を介して外部の装置に送信される。
【００４３】
図５は、パーソナルコンピュータ２が行う処理手順を示すフローチャートである。この処理手順は、制御部２２の制御により実行される。
【００４４】
通信部２７により、サーバ３と接続する（Ｓ１０１）。ユーザが使用する予定のデジタル複合機１が設置してあるコンビニエンスストアの名称・住所等を参照し、使用予定のデジタル複合機１に関するデジタル複合機情報を受信する（Ｓ１０２）。
【００４５】
パーソナルコンピュータ２が処理する画像情報を入力部２１により入力する（Ｓ１０３）。受信したデジタル複合機情報が示す処理条件の中から、入力した画像情報に用いる処理条件を操作部２０によりユーザから受け付ける（Ｓ１０４）。受け付けた処理条件を設定部２４により設定する（Ｓ１０５）。
【００４６】
設定した処理条件を用いて、入力した画像情報に対する画像処理を処理部２５により実行する（Ｓ１０６）。処理後の画像情報を使用して生成された画像を表示部２６により表示する（Ｓ１０７）。
【００４７】
上述した手順により、デジタル複合機１が設置してあるコンビニエンスストアとは離隔したユーザ宅にあるパーソナルコンピュータ２おいても、デジタル複合機１と同じ処理条件で画像情報に対する処理を行うことができるようになる。言い換えると、コンビニエンスストアに設置したデジタル複合機１の使用シミュレーションをユーザ宅において実施できるようになる。また、コンビニエンスストア毎に異なるタイプのデジタル複合機１が設置してある場合においても、コンビニエンスストアの情報に基づいて、ユーザが使用予定のデジタル複合機１に適合した使用シミュレーションを実施できるようになる。
【００４８】
ユーザは、表示部２６に表示された画像を確認し、入力した画像情報に対してユーザが希望していた画像と一致するか否か判断する。一致しないと判断された場合、ユーザからの修正指示を操作部２０により受け付けることになる。一致すると判断された場合、ユーザからの修正不要指示を操作部２０により受け付けることになる。
【００４９】
修正指示を操作部２０により受け付けた場合（Ｓ１０８：ＹＥＳ）、入力した画像情報に用いる処理条件を操作部２０によりユーザから再び受け付ける（Ｓ１０４）。修正不要指示を操作部２０により受け付けた場合（Ｓ１０８：ＮＯ）、表示部２６に表示した画像の生成に使用した処理条件を示す画像処理情報をサーバ３に送信する（Ｓ１０９）。
【００５０】
サーバ３は、受信した画像処理情報から、処理条件を示すエンコード情報を作成し、作成したエンコード情報をパーソナルコンピュータ２に送信する。サーバ３が実行するこの処理手順の詳細な内容については後述する。
【００５１】
サーバ３から送信されたエンコード情報を通信部２７により受信する（Ｓ１１０）。受信したエンコード情報を表示部２６に表示して出力し（Ｓ１１１）、処理手順を終了する。表示されたエンコード情報は、複数桁の数値等から構成されており、ユーザがデジタル複合機１に対して操作入力容易なものとなっている。画像情報に対する処理条件を示すため、表示されたエンコード情報も画像処理情報である。
【００５２】
図６は、デジタル複合機１が行う処理手順を示すフローチャートである。この処理手順は、制御部１２の制御により実行される。
【００５３】
表示部２６に表示して出力されたエンコード情報を、操作部１０によりユーザから受け付ける（Ｓ２０１）。受け付けたエンコード情報のデコードにより示される処理条件を、デジタル複合機１に入力される画像情報の処理条件としてデジタル複合機１に設定する（Ｓ２０２）。エンコード情報は操作入力容易なものとなっているため、ユーザは短時間にこのエンコード情報入力操作を完了することができる。  
【００５４】
デジタル複合機１が処理する画像情報を入力部１１により入力する（Ｓ２０３）。設定した処理条件を用いて、入力した画像情報に対する画像処理を処理部１４により実行する（Ｓ２０４）。処理後の画像情報を使用して生成された画像を印刷部１５により用紙に印刷して形成し（Ｓ２０５）、この処理手順を終了する。
【００５５】
印刷部１５による印刷物には、自宅のパーソナルコンピュータ２によるシミュレーションと同じ処理条件が用いてある。また、自宅のパーソナルコンピュータ２によるシミュレーション結果は、表示部２６を用いてユーザによる確認済である。したがって、印刷部１５による印刷物は、ユーザの所望に沿うものとなる。
【００５６】
図７は、サーバ３が行う処理手順を示すフローチャートである。受信した画像情報から作成したエンコード情報をパーソナルコンピュータ２に送信する上述の手順について示してある。
【００５７】
通信部３１により、パーソナルコンピュータ２と接続する（Ｓ３０１）。パーソナルコンピュータ２から処理条件を示す画像処理情報を受信した場合、複数桁の数値等から構成されるエンコード情報を処理部３３により生成する（Ｓ３０２）。処理条件とエンコード情報との対応関係はデジタル複合機１の記憶部１３にも記憶してあるため、デジタル複合機１は、サーバ３が生成したエンコード情報をデコードすることができる。
【００５８】
生成したエンコード情報を通信部３１によりパーソナルコンピュータ２に送信し（Ｓ３０３）、この処理手順を終了する。
【００５９】
実施の形態１に係る画像形成システムでは、エンコード情報を用いてデジタル複合機１の処理条件が設定できるため、処理条件の設定を短時間で容易に完了することができる。また、デジタル複合機１の印刷処理に対するシミュレーションを自宅のパーソナルコンピュータ２で実施できるため、ユーザの所望に沿った印刷物を得ることが期待できる。
【００６０】
（実施の形態２）
図８は、本発明に係る画像形成システムの一例を示す模式図である。コピー機能、印刷機能、ファクシミリ機能等を有しており、画像形成処理を行う複数のデジタル複合機１と、画像処理機能等を有しており、処理後の画像を表示するパーソナルコンピュータ２とを含んでいる。各デジタル複合機１は所定のコンビニエンスストアに設置してあり、パーソナルコンピュータ２はユーザ宅に設置してある。
【００６１】
実施の形態２に係るデジタル複合機１は、実施の形態１に係るデジタル複合機１と同様の構成である。よって、構成に関する説明は省略する。
【００６２】
図９は、パーソナルコンピュータ２の一構成例を示したブロック図である。パーソナルコンピュータ２は操作部２０、入力部２１、制御部２２、記憶部２３、設定部２４、処理部２５及び表示部２６を備える。
【００６３】
操作部２０は、テンキー等が設けてあるキーボード及びマウスで構成してあり、ユーザの操作を受け付ける。
【００６４】
入力部２１は、原稿を読み取ってパーソナルコンピュータ２で処理すべき画像情報を入力するスキャナ、ＵＳＢメモリなどの記録媒体にある記録情報を読み取ってパーソナルコンピュータ２で処理すべき画像情報を入力する接続ポート等で構成してある。
【００６５】
制御部２２は、ＣＰＵ等を備えたマイクロコンピュータからなり、操作部２０により受け付けたユーザの操作に基づいてパーソナルコンピュータ２の各部を制御する。
【００６６】
記憶部２３は、ハードディスクドライブ（ＨＤＤ）、メモリ（Random Access Memory：ＲＡＭ）などで構成してあり、制御部２２が制御に用いるプログラムが記憶してある。また、デジタル複合機１が設置してあるコンビニエンスストアの名称・住所等のコンビニエンスストア情報、及びデジタル複合機１が使用可能な処理条件を示すデジタル複合機情報が関連付けて記憶してある。更に、処理条件と処理条件を示すエンコード情報との対応関係を示すテーブルが記憶してある。
【００６７】
設定部２４は、ＣＰＵ等からなり、操作部２０が受け付けた操作に基づいて、入力部２１から入力された画像情報に対して使用する処理条件を設定する。例えば、画像の縮小・拡大、画像の明暗、印刷用紙の選択、片面／両面印刷などの処理条件を設定する。
【００６８】
処理部２５は、ＣＰＵ等からなり、設定部２４が設定した処理条件の下で、入力部２１から入力された画像情報に対して画像処理を行う。
【００６９】
表示部２６は、液晶パネルで構成してあり、処理部２５が処理して得られた画像を表示する。プラズマディスプレイパネル、有機ＥＬパネルなどを用いて構成してもよい。
【００７０】
図１０は、パーソナルコンピュータ２が行う処理手順を示すフローチャートである。この処理手順は、制御部２２の制御により実行される。
【００７１】
ユーザが使用する予定のデジタル複合機１が設置してあるコンビニエンスストアの名称・住所等を参照し、使用予定のデジタル複合機１に関するデジタル複合機情報を記憶部２３から読み出す（Ｓ４０１）。
【００７２】
パーソナルコンピュータ２が処理する画像情報を入力部２１により入力する（Ｓ４０２）。読み出したデジタル複合機情報が示す処理条件の中から、入力した画像情報に用いる処理条件を操作部２０によりユーザから受け付ける（Ｓ４０３）。受け付けた処理条件を設定部２４により設定する（Ｓ４０４）。
【００７３】
設定した処理条件を用いて、入力した画像情報に対する画像処理を処理部２５により実行する（Ｓ４０５）。処理後の画像情報を使用して生成された画像を表示部２６により表示する（Ｓ４０６）。
【００７４】
上述した手順により、デジタル複合機１が設置してあるコンビニエンスストアとは離隔したユーザ宅にあるパーソナルコンピュータ２おいても、デジタル複合機１と同じ処理条件で画像情報に対する処理を行うことができるようになる。言い換えると、コンビニエンスストアに設置したデジタル複合機１の使用シミュレーションをユーザ宅において実施できるようになる。また、コンビニエンスストア毎に異なるタイプのデジタル複合機１が設置してある場合においても、コンビニエンスストアの情報に基づいて、ユーザが使用予定のデジタル複合機１に適合した使用シミュレーションを実施できるようになる。
【００７５】
ユーザは、表示部２６に表示された画像を確認し、入力した画像情報に対してユーザが希望していた画像と一致するか否か判断する。一致しないと判断された場合、ユーザからの修正指示を操作部２０により受け付けることになる。一致すると判断された場合、ユーザからの修正不要指示を操作部２０により受け付けることになる。
【００７６】
修正指示を操作部２０により受け付けた場合（Ｓ４０７：ＹＥＳ）、入力した画像情報に用いる処理条件を操作部２０によりユーザから再び受け付ける（Ｓ４０３）。修正不要指示を操作部２０により受け付けた場合（Ｓ４０７：ＮＯ）、表示部２６に表示した画像の生成に使用した処理条件を示す画像処理情報をエンコードしたエンコード情報を生成する（Ｓ４０８）。
【００７７】
生成したエンコード情報を表示部２６に表示して出力し（Ｓ４０９）、処理手順を終了する。表示されたエンコード情報は、複数桁の数値等から構成されており、ユーザがデジタル複合機１に対して操作入力容易なものとなっている。画像情報に対する処理条件を示すため、表示されたエンコード情報も画像処理情報である。
【００７８】
実施の形態２に係るデジタル複合機１が行う処理手順は、実施の形態１に係るデジタル複合機１が行う処理手順と同様である。よって、処理手順に係る説明を省略する。
【００７９】
印刷部１５による印刷物は、自宅のパーソナルコンピュータ２によるシミュレーションと同じ処理条件を用いて得られるものとなる。また、自宅のパーソナルコンピュータ２によるシミュレーション結果は、表示部２６を用いてユーザによる確認済である。したがって、印刷部１５による印刷物は、ユーザの所望に沿うものとなる。
【００８０】
実施の形態２に係る画像形成システムでは、エンコード情報を用いてデジタル複合機１の処理条件が設定できるため、処理条件の設定を短時間で容易に完了することができる。また、デジタル複合機１の印刷処理に対するシミュレーションを自宅のパーソナルコンピュータ２で実施できるため、ユーザの所望に沿った印刷物を得ることが期待できる。
【００８１】
上述の実施の形態１及び２では、パーソナルコンピュータ２で設定した処理条件をエンコードしたエンコード情報をユーザがデジタル複合機１に操作して入力する構成としている。しかしながら、パーソナルコンピュータ２で設定した処理条件を通信によりサーバ３に記憶させておき、デジタル複合機１に通信機能を与え、サーバ３に記憶したこの処理条件を受信できるように構成してもよい。この構成を実現するための方法として、パーソナルコンピュータ２がサーバ３に接続する際に使用するＩＤ等を用いて受信すべき処理条件を指定する方法、サーバ３がこの処理条件を記憶する際に、識別情報を発行する方法等が考えられる。
【００８２】
上述の実施の形態１及び２では、パーソナルコンピュータ２に表示したエンコード情報をユーザが目視し、デジタル複合機１に操作して入力する構成としている。しかしながら、パーソナルコンピュータ２に携帯メモリ媒体を接続し、接続した携帯メモリ媒体にエンコード情報を記憶し、その携帯メモリ媒体をデジタル複合機１に接続することでエンコード情報をデジタル複合機１に入力できる構成としてもよい。
【００８３】
今回開示された実施の形態はすべての点で例示であって、制限的なものでは無いと考えられるべきである。上で例示した複数の構成は、他の構成例と組み合わせて利用することも可能である。本発明の範囲は、上で例示した内容だけ無く、特許請求の範囲によって示され、特許請求の範囲と均等の意味及び範囲内でのすべての変更が含まれることが意図される。
【符号の説明】
【００８４】
１  デジタル複合機
２  パーソナルコンピュータ
３  サーバ
１０  操作部
１１  入力部
１２  制御部
１３  記憶部
１４  処理部
１５  印刷部
２０  操作部
２１  入力部
２２  制御部
２３  記憶部
２４  設定部
２５  処理部
２６  表示部
２７  通信部
３０  制御部
３１  通信部
３２  記憶部
３３  処理部
【図１】
2014041432.tif 000003
【図２】
2014041432.tif 000004
【図３】
2014041432.tif 000005
【図４】
2014041432.tif 000006
【図５】
2014041432.tif 000007
【図６】
2014041432.tif 000008
【図７】
2014041432.tif 000009
【図８】
2014041432.tif 000010
【図９】
2014041432.tif 000011
【図１０】
2014041432.tif 000012